(57)【要約】【課題】コーナー部を湾曲形状としても本体キャビネットと外扉との隙間からの雨水が侵入を確実に防ぐ。【解決手段】前面１０ａに開口１１を有した本体キャビネット１０と、本体キャビネットの前面よりも最外周の縦横寸法が小さく形成され、かつ開口を前面から閉塞する態様で本体キャビネットに対して開口を開閉可能に設けられた外扉２０と、外扉の周縁部に設けられた突合せ部４０と、本体キャビネットの前面に形成され外扉を閉塞した場合に突合せ部に近接して該突合せ部に対向すると共に、少なくとも最外周面２０ｃを含む扉体の一部が本体キャビネットの前面よりも内方側に進入可能となるように設けられた遮蔽部３０と、突合せ部と遮蔽部とが対向する範囲内で突合せ部に取り付けられ外扉を閉塞した場合に遮蔽部に密着される封止部材５０とを備える。【選択図】        図４
2008210338.tif 000002
【特許請求の範囲】
【請求項１】
前面に開口を有した本体キャビネットと、
前記本体キャビネットの前面よりも最外周の縦横寸法が小さく形成され、かつ前記開口を前面から閉塞する態様で前記本体キャビネットに対して前記開口を開閉可能に設けられた扉体と、
前記扉体の周縁部に設けられた第一突合せ部と、
前記本体キャビネットの前面に形成され、前記扉体を閉塞した場合に前記第一突合せ部に近接して該第一突合せ部に対向すると共に、少なくとも最外周面を含む扉体の一部が本体キャビネットの前面よりも内方側に進入可能となるように設けられた第二突合せ部と、
前記第一突合せ部と前記第二突合せ部とが対向する範囲内で前記第一突合せ部もしくは前記第二突合せ部の一方に取り付けられ、前記扉体を閉塞した場合に他方の突合せ部に密着される封止部材と
を備えたことを特徴とする自動販売機。
【発明の詳細な説明】
【技術分野】
【０００１】
本発明は、自動販売機に関するものである。
【背景技術】
【０００２】
一般的な自動販売機は、内部に商品を収納する本体キャビネットと、本体キャビネットの前面に形成された開口を開閉する外扉とを有している。外扉は、本体キャビネットの前面の外形とほぼ同じ外形に形成されて、本体キャビネットの一側にヒンジを介して取り付けられ、本体キャビネットの開口を閉塞した場合には、本体キャビネットの前面を覆うように構成されている。
【０００３】
従来、上記自動販売機においては、本体キャビネットの前面と外扉との隙間から本体キャビネットの内部への雨水の侵入を防いで、外扉の内側に設けた紙幣処理装置や硬貨処理装置等を保護するため、図５に示す防水ガスケット８０が採用されている。防水ガスケット８０は、本体キャビネット１００の前端上部の全長に亘って取り付けられ、硬質樹脂によって形成されたフレーム８１と、軟質樹脂によって形成されてフレーム８１に一体に設けられたガスケット部８２ａ，８２ｂ，８２ｃとを有している。フレーム８１は、本体キャビネット１００の前端に係止されるクリップ部８１ａと、該クリップ部８１ａから本体キャビネット１００の上面側に突き出されたリブ状の突起部８１ｂと、クリップ部８１ａから閉塞した外扉２００の上面側に突出する庇部８１ｃとで形成されている。ガスケット部８２ａは、中空状に形成されてフレーム８１のクリップ部８１ａの前面に設けられている。ガスケット部８２ｂ，８２ｃは、舌状に形成されてフレーム８１の突起部８１ｂおよび庇部８１ｃの端部に設けられている。この防水ガスケット８０は、本体キャビネット１００に取り付けられた状態で、突起部８１ｂに設けたガスケット部８２ｂが本体キャビネット１００の上面と突起部８１ｂとの間に折り返して介在する。そして、外扉２００を閉塞した場合には、ガスケット部８２ａが外扉２００の内面外周部によって押し潰されると共に、ガスケット部８２ｃが外扉２００の上面に密着する。このような防水ガスケット８０を備えた従来の自動販売機では、ガスケット部８２ａによって本体キャビネット１００と外扉２００との隙間を塞ぎ、ガスケット部８２ｂ，８２ｃによって前記隙間への雨水の侵入経路を封止することで、本体キャビネット１００と外扉２００との隙間から本体キャビネット１００の内部への雨水の侵入を防止している（例えば、特許文献１参照）。
【０００４】
【特許文献１】特開２００３−３３１３４５号公報
【発明の開示】
【発明が解決しようとする課題】
【０００５】
ところで、近年では、本体キャビネットおよび外扉のコーナー部を湾曲形状としたデザインの自動販売機が望まれている。しかしながら、従来の防水ガスケット８０では、自動販売機の外周形状に沿って配置するものであるから、突起部８１ｂに設けられたガスケット部８２ｂに対して、湾曲形状の内側である本体キャビネット１００の外面への圧縮力を生じさせることが困難となり、また、庇部８１ｃに設けられたガスケット部８２ｃに対して、湾曲形状の内側である外扉２００の外面への圧縮力を生じさせることが困難となる。この結果、コーナー部において本体キャビネット１００と外扉２００との隙間への雨水の侵入経路を封止することができなくなって防水効果が低下してしまうことになる。
【０００６】
本発明は、上記実情に鑑みて、本体キャビネットや扉体の外周形状に関わらず本体キャビネットと扉体との隙間から雨水が侵入する事態を確実に防ぐことのできる自動販売機を提供することを目的とする。
【課題を解決するための手段】
【０００７】
上記の目的を達成するために、本発明の請求項１に係る自動販売機は、前面に開口を有した本体キャビネットと、前記本体キャビネットの前面よりも最外周の縦横寸法が小さく形成され、かつ前記開口を前面から閉塞する態様で前記本体キャビネットに対して前記開口を開閉可能に設けられた扉体と、前記扉体の周縁部に設けられた第一突合せ部と、前記本体キャビネットの前面に形成され、前記扉体を閉塞した場合に前記第一突合せ部に近接して該第一突合せ部に対向すると共に、少なくとも最外周面を含む扉体の一部が本体キャビネットの前面よりも内方側に進入可能となるように設けられた第二突合せ部と、前記第一突合せ部と前記第二突合せ部とが対向する範囲内で前記第一突合せ部もしくは前記第二突合せ部の一方に取り付けられ、前記扉体を閉塞した場合に他方の突合せ部に密着される封止部材とを備えたことを特徴とする。
【発明の効果】
【０００８】
本発明に係る自動販売機は、本体キャビネットの前面よりも最外周の縦横寸法が小さく形成された扉体を閉塞した場合に、少なくとも最外周面を含む扉体の一部が本体キャビネットの前面よりも内方側に進入し、本体キャビネットと扉体との間で一方の突合せ部に設けた封止部材が他方の突合せ部に密着される。このため、本体キャビネットが扉体の最外周面に被さり、かつ封止部材によって本体キャビネットと扉体との隙間が塞がれる。この結果、本体キャビネットと扉体との隙間に至る雨水を本体キャビネットによって遮り、かつ封止部材によって本体キャビネットと扉体との隙間からの雨水の侵入を妨げるので、前記隙間から雨水が侵入する事態を確実に防ぐことが可能になる。しかも、本体キャビネットおよび扉体のコーナー部が湾曲形状とされた場合であっても、コーナー部において本体キャビネットを扉体に被せ、かつ封止部材によって本体キャビネットと外扉との隙間を塞ぐことで、本体キャビネットや扉体の外周形状に関わらず本体キャビネットと扉体との隙間から雨水が侵入する事態を確実に防ぐことが可能になる。
【発明を実施するための最良の形態】
【０００９】
以下に添付図面を参照して、本発明に係る自動販売機の好適な実施例を詳細に説明する。図１は、本発明の実施の形態である自動販売機の外観を示す斜視図である。
【００１０】
図１で例示する自動販売機は、入金が行われた場合に缶入り飲料やペットボトル入り飲料、あるいはビン入り飲料等の商品を販売するのもので、図１に示すように、本体キャビネット１０と外扉（扉体）２０とを備えている。本体キャビネット１０は、内部に商品を収納するものである。外扉２０は、本体キャビネット１０の一側部にヒンジ（図示せず）を介して支承されたもので、本体キャビネット１０の前面に設けられた開口１１を前面から閉塞して開口１１の内部に少なくとも一部を入り込ませる態様で開閉可能に設けられている。
【００１１】
外扉２０の前面には、ディスプレイウィンドウ２１、押ボタン２２、紙幣挿通口２３、硬貨投入口２４、返却レバー２５、一体表示器２６、硬貨返却口２７、商品取出口２８が設けられている。
【００１２】
ディスプレイウィンドウ２１は、外扉２０の上部に構成された透明の窓であり、内部に配列した商品見本２９を外部に視認させることが可能である。ディスプレイウィンドウ２１を通じて視認される商品見本２９は、それぞれ本体キャビネット１０に収納した商品を現すためのものである。押ボタン２２は、利用者が商品を選択するためのもので、ディスプレイウィンドウ２１を通じて視認される商品見本２９毎に個別に用意されている。紙幣挿通口２３は、利用者が紙幣を挿入するための開口であり、外扉２０の内側に取り付けた紙幣処理装置（図示せず）と連通されている。硬貨投入口２４は、利用者が硬貨を投入するための開口であり、外扉２０の内側に取り付けた硬貨処理装置（図示せず）と連通されている。返却レバー２５は、硬貨投入口２４から投入した硬貨、あるいは紙幣挿通口２３から挿入した紙幣を返却するためのものである。一体表示器２６は、主として、利用者が投入した貨幣の入金額、釣銭の金額等、商品を販売する上で必要となる各種情報を外部に表示するためのものであり、例えば液晶表示器によって構成されている。硬貨返却口２７は、利用者に対して硬貨を返却するための開口であり、硬貨投入口２４よりも下方となる位置に設けられている。商品取出口２８は、本体キャビネット１０から払い出された商品を受け取るための開口である。
【００１３】
このような自動販売機は、紙幣挿通口２３を通じて紙幣が挿入された場合、この紙幣が紙幣処理装置（図示せず）によって正規なものであるか否かを選別する。紙幣処理装置は、正規なものとして選別した紙幣を内部に取り込む一方、損傷や偽造等の理由により正規な紙幣として選別できなかったり、挿入操作の後に返却レバー２５が操作されたりした場合、その紙幣を紙幣挿通口２３から返却する。紙幣処理装置が正規なものとして紙幣を内部に取り込んだ場合、その入金額に関わる入金情報を一体表示器２６に表示すると共に、該入金額が商品を販売する金額である場合に該当する商品の商品見本２９に対応する押ボタン２２の操作を有効化する。そして、有効化された押ボタン２２が操作されると、該押ボタン２２が対応する商品見本２９の商品を本体キャビネット１０から商品取出口２８に払い出す。
【００１４】
また、自動販売機は、硬貨投入口２４を通じて硬貨が投入された場合、この硬貨が硬貨処理装置（図示せず）によって正規なものであるか否かを選別する。硬貨処理装置は、正規なものとして選別した硬貨を内部に取り込む一方、損傷や偽造等の理由により正規な硬貨として選別できなかったり、投入操作の後に返却レバー２５が操作されたりした場合、その硬貨を硬貨返却口２７から返却する。硬貨処理装置が正規なものとして硬貨を内部に取り込んだ場合、その入金額に関わる入金情報を一体表示器２６に表示すると共に、該入金額が商品を販売する金額である場合に該当する商品の商品見本２９に対応する押ボタン２２の操作を有効化する。そして、有効化された押ボタン２２が操作されると、該押ボタン２２が対応する商品見本２９の商品を本体キャビネット１０から商品取出口２８に払い出す。
【００１５】
上述した自動販売機において、図１に示すように本体キャビネット１０は、略矩形状の箱型に形成され、前面から見た外周および開口１１の上部のコーナー部１０ｂが湾曲形成されている。また、外扉２０は、その最外周の縦横寸法が本体キャビネット１０の前面１０ａよりも小さく形成されている（図４参照）。この外扉２０も本体キャビネット１０に合わせて上部のコーナー部２０ｂが湾曲形成されている。このような構成の自動販売機において、本体キャビネット１０と外扉２０との隙間から本体キャビネット１０の内部に雨水等の異物が侵入する事態を防ぐ侵入防止構造が採用されている。
【００１６】
図２は、侵入防止構造を示す斜視図であり、図３は、侵入防止構造を示す側断面図であり、図４は、外扉を閉塞した場合の侵入防止構造の作用を示す側断面図である。
【００１７】
図２および図３に示すように侵入防止構造は、外扉２０に設けられた突合せ部（第一突合せ部）４０と、本体キャビネット１０に設けられた遮蔽部（第二突合せ部）３０と、突合せ部４０と遮蔽部３０との間に設けられた封止部材５０とを備えている。
【００１８】
突合せ部４０は、本実施の形態において、図２に示すように外扉２０の両側のコーナー部２０ｂを含む外扉２０の上部外周２０ａの全長に亘って設けられたものである。突合せ部４０は、図３に示すように外扉２０における外周２０ａの後側の一部が切り欠かれ、もしくは外扉２０における外周２０ａの前側の一部が突出して形成されることにより、外扉２０の周縁部に鉛直で平坦な突合せ面４０ａを有している。
【００１９】
遮蔽部３０は、本実施の形態において、図２に示すように本体キャビネット１０の両側のコーナー部１０ｂを含む本体キャビネット１０の上縁の全長に亘って設けられたもので、図３に示すように平板状の板金が固定板３１と遮蔽板３２とに前後に折り曲げて形成されている。固定板３１は、本体キャビネット１０の外装板１２の内側に配設された補強部材１３に対して固定ネジ１４または溶接によって固定されて水平に配置されている。遮蔽板３２は、固定板３１の前端から斜め前側上方に向けて折り曲げられ、その先端が本体キャビネット１０の前端１１ａに至るように配置されている。このように配置された遮蔽板３２は、本体キャビネット１０の前面１１において突合せ部４０に対向する部位に形成され、本体キャビネット１０の前端１１ａから本体キャビネット１０の奥方に向けて斜めに延在して本体キャビネット１０の前面をなす遮蔽面３２ａを有している。また、遮蔽部３０の遮蔽板３２は、図２に示すように本体キャビネット１０のコーナー部１０ｂの湾曲形状に合わせて、その両端部３２ｂ，３２ｂが湾曲形状に形成されている。
【００２０】
封止部材５０は、図２に示すように外扉２０の最外周面２０ｃに連なる態様で突合せ面４０ａの全長に亘って取り付けられ、図３に示すように軟質樹脂等によって断面が矩形中空状に形成されたものである。また、封止部材５０は、図２に示すように外扉２０のコーナー部の湾曲形状に合わせて、その両端部５０ａ，５０ａが湾曲形状に形成されている。なお、封止部材５０は、突合せ部４０の突合せ面４０ａに限らず、遮蔽部３０の遮蔽面３２ａの全長に亘って取り付けられていてもよい。
【００２１】
このような侵入防止構造を採用した自動販売機において、遮蔽部３０の遮蔽板３２は、図３に示すように外扉２０を開放した場合に突合せ部４０から離隔する。一方、遮蔽部３０の遮蔽板３２は、図４に示すように外扉２０体を閉塞した場合に突合せ部４０に近接して遮蔽面３２ａが突合せ部４０の突合せ面４０ａに対向すると共に、最外周面２０ｃを含む外扉２０の一部が本体キャビネット１０の前面１０ａよりも内方側に進入する。このように、外扉２０を閉塞した場合では、図４に示すように外扉２０の最外周面２０ｃが本体キャビネット１０の前面１０ａよりも本体キャビネット１０の内方側に入り込み、互いに対向する遮蔽面３２ａと突合せ面４０ａとの間で封止部材５０が挟まれて遮蔽面３２ａに密着する。このため、本体キャビネット１０の前端１１ａが外扉２０の最外周面２０ｃに被さり、かつ封止部材５０によって本体キャビネット１０と外扉２０との隙間が塞がれる。この結果、自動販売機の上部から本体キャビネット１０と外扉２０との隙間に至る雨水を本体キャビネット１０の前端１１ａによって遮り、かつ封止部材５０によって本体キャビネット１０と外扉２０との隙間からの雨水の侵入を妨げるので、前記隙間から雨水が侵入する事態を確実に防ぐことが可能になる。
【００２２】
特に、本体キャビネット１０および外扉２０のコーナー部１０ｂ，２０ｂが湾曲形状とされた場合に、このコーナー部１０ｂ，２０ｂにおいて本体キャビネット１０の前端１１ａを外扉２０の最外周面２０ｃに被せ、かつ封止部材５０によって本体キャビネット１０と外扉２０との隙間を塞ぐことで、湾曲形状とされたコーナー部１０ｂ，２０ｂの本体キャビネット１０と外扉２０との隙間から雨水が侵入する事態を確実に防ぐことが可能になる。
【００２３】
また、上記侵入防止構造を採用した自動販売機は、本体キャビネット１０の前端１１ａを外扉２０の最外周面２０ｃに被せる構成において、前面側に生じ得る本体キャビネットと外扉２０との隙間が、前端１１ａから本体キャビネット１０の奥方に延在した遮蔽部３０の遮蔽板３２によって塞がれることになる。この結果、自動販売機の前面側に生じる隙間から悪戯によって異物が挿入される事態を防ぎ、かつこの隙間に手指を挟む事態を防ぐことが可能になる。
【００２４】
また、外扉２０において、図３および図４に示すように突合せ部４０の前側に位置する外周面２０ａａは、前側に向かって下方に傾斜して形成されている。このため、外周面２０ａａに掛かる雨水を前側に流して突合せ部４０側に至る事態を防ぐことが可能である。また、外扉２０において、図３および図４に示すように突合せ部４０の後側に位置する外周面２０ａｂは、前側に向って下方に傾斜し、かつ側部に向かって下方に傾斜して形成されている。このため、外扉２０を開放した場合に外周面２０ａｂに掛かる雨水を側部に流して本体キャビネット１０の内部に至る事態を防ぐことが可能である。
【００２５】
なお、上述した実施の形態において、遮蔽部３０は、平板状の遮蔽板３２によって構成されることに限らず、突合せ部４０との間で封止部材５０を挟むものであればブロック材によって構成されたものであってもよい。さらに、遮蔽部３０の遮蔽板３２は、本体キャビネット１０の外装板１２や補強部材１３から延設した構成であってもよい。さらにまた、遮蔽部３０の遮蔽板３２は、図３および図４に示すように平面として構成されていることに限らず、突合せ部４０との間で封止部材５０を挟むものであれば湾曲面や屈曲面として構成されていてもよい。
【００２６】
また、上述した実施の形態において、突合せ部４０の突合せ面４０ａは、鉛直で平坦に形成されていることに限らず、遮蔽部３０の遮蔽面３２ａと互いに対向配置されて封止部材５０を挟むものであれば上向きに斜めに形成されていたり、湾曲や屈曲して形成されていてもよい。
【００２７】
なお、上述した実施の形態における侵入防止構造は、遮蔽部３０と突合せ部４０と封止部材５０とを自動販売機の本体キャビネット１０の開口１１の上縁および外扉２０の上部に配置した構成であるが、これに限らず本体キャビネット１０の開口１１の全縁および外扉２０の全周に亘って配置してもよい。
【図面の簡単な説明】
【００２８】
【図１】本発明の実施の形態である自動販売機の外観を示す斜視図である。
【図２】侵入防止構造を示す斜視図である。
【図３】侵入防止構造を示す側断面図である。
【図４】外扉を閉塞した場合の侵入防止構造の作用を示す側断面図である。
【図５】従来の自動販売機における防水ガスケットを示す側断面図である。
【符号の説明】
【００２９】
１０    本体キャビネット
１０ａ    前面
１０ｂ    コーナー部
１１    開口
１１ａ    前端
２０    外扉（扉体）
２０ａ    外周
２０ａａ    外周面
２０ａｂ    外周面
２０ｂ    コーナー部
２０ｃ    最外周面
３０    遮蔽部（第二突合せ部）
３２    遮蔽板
３２ａ    遮蔽面
３２ｂ    端部
４０    突合せ部（第一突合せ部）
４０ａ    突合せ面
５０    封止部材
５０ａ    端部
【図１】
2008210338.tif 000003
【図２】
2008210338.tif 000004
【図３】
2008210338.tif 000005
【図４】
2008210338.tif 000006
【図５】
2008210338.tif 000007